(57)【要約】【課題】衣類に合ったシワ、臭いの除去、及び乾燥等の最適衣類処理を行うとともに、衣類の保管、及び着用衣類の選択と取り出しが効率よく行えるようにする。【解決手段】格納部本体１に、収納部２と、衣類処理部３と、格納部４と、前記衣類処理部３で仕上げられた衣類６を前記格納部４へ搬送する第１の搬送手段１２と、前記格納部４から取出部１６へ搬送する第２の搬送手段１５を設け、収納から衣類処理、格納を自動化するとともに、目的に応じて衣類６の選択と取り出しが簡単にでき、使い勝手を飛躍的に向上させる。【選択図】　図１
2004057649.tif 000002
【特許請求の範囲】
【請求項１】
格納部本体と、前記格納部本体に衣類を入れる収納部と、前記収納部に入れられた衣類の情報を情報処理部に入力する設定手段と、前記設定手段の出力に基づいて前記衣類の仕上げを行う衣類処理部と、前記衣類処理部で仕上げられた衣類を格納する格納部と、前記衣類処理部で仕上げられた衣類を前記格納部へ搬送する第１の搬送手段と、前記格納部に格納された衣類から着用する衣類を選択する選択手段と、前記選択手段によって選択された衣類を取り出す取出部と、前記選択手段によって選択された衣類を前記格納部から取出部へ搬送する第２の搬送手段とを備えた衣類格納装置。
【請求項２】
設定手段は、フォーマル、カジュアル等の用途、スーツ、ブラウス等の種類、毛、絹、化繊等の材質、夏用、冬用等の季節区分、その他、色、柄、形状、サイズ、固有情報等の衣類に関する情報のいずれか１以上を入力するようにした請求項１記載の衣類格納装置。
【請求項３】
衣類は、設定手段に入力する当該衣類に関する情報を有した情報部を有し、当該衣類の情報を前記情報部から設定手段を介して情報処理部に入力するようにした請求項２記載の衣類格納装置。
【請求項４】
衣類処理部は、衣類のしわ等を除去する加湿手段と、衣類の水分を除去する除湿手段と、前記加湿手段および除湿手段を制御する制御手段を有し、前記制御手段は、設定手段によって情報処理部に入力された衣類の情報に基づいて温度と湿度を調整するようにした請求項１〜３のいずれか１項に記載の衣類格納装置。
【請求項５】
選択手段は、使用者が希望する衣類の情報を任意に入力する第１の入力手段と、前記第１の入力手段により選択された衣類の情報を表示する表示手段と、前記表示手段によって表示された衣類を確認する確認手段を有し、前記確認手段によって確認された衣類を第２の搬送手段により格納部から取り出し部へ搬送するようにした請求項１〜４のいずれか１項に記載の衣類格納装置。
【請求項６】
選択手段は、外部情報を入力する第２の入力手段を有し、第１の入力手段により、前記第２の入力手段の情報に基づいて使用者に衣類を提案するようにした請求項５記載の衣類格納装置。
【発明の詳細な説明】
【０００１】
【発明の属する技術分野】
本発明は、着用後の衣類の脱臭、シワの除去、及び乾燥等の仕上げと保管、更には、着用時に選択した衣類を自動的に取り出すことのできる衣類格納装置に関するものである。
【０００２】
【従来の技術】
従来の一般的な衣類処理装置は、例えば実公昭５４−２８５６０号公報に記載されているように、本体に衣類収納庫、蒸気発生装置、及び乾燥装置を装備し、衣類を一枚、或いは複数枚を同時に処理するものがあった。この種の衣類処理装置においては、衣類収納庫に処理する衣類を収納し、衣類収納庫に蒸気発生装置から発生した蒸気を供給し、衣類収納庫を多湿空気の雰囲気を数十分から数時間保持することで衣類の脱臭、或いはシワを除去する。その後、乾燥装置で発生した温風によって乾燥を行っていた。
【０００３】
処理後は、衣類をそのまま衣類処理装置に保管したり、衣類処理装置から衣類を取り出して別に設けられた衣類格納部に移し替えて保管するものであった。また、前記衣類格納部は、衣類を複数枚保管する保管ケースを部屋に設置したり、或いは、衣類を保管する特別な部屋に保管していた。
【０００４】
【発明が解決しようとする課題】
従来の衣類処理装置においては、一枚づつ衣類を処理する場合は、処理の度に衣類の出し入れが必要であり使用勝手が悪かった。また、複数枚の衣類を同時に処理するものは、衣類収納庫を空にして処理する衣類を収納する必要があり、処理後の衣類を長期間保管することができない。同時に衣類の入れ替えの手間がかかっていた。更に、一度に複数の衣類を処理するため衣類の種類による最適処理条件で行うことができなかった。
【０００５】
また、衣類を特別な部屋に保管している場合は、どのような衣類を保管しているかが一目で分からないので、外出時に目的にあった着用する衣類を選定するのに時間がかかっていた。また、前記保管部屋は、一般的に温度、湿度管理がなされておらず、梅雨時は多湿空気条件で保管され、カビ等の発生、衣類への臭いの付着等があった。
【０００６】
本発明は、上記従来の課題を解決するもので、衣類の脱臭、シワの除去、及び乾燥等の仕上げと保管、更には、着用時に選択した衣類を効率よく取り出せるようにすることを目的とする。
【０００７】
【課題を解決するための手段】
前記従来の課題を解決するために、本発明の衣類格納装置は、本体に衣類を入れる収納部と、衣類の仕上げを行う衣類処理部と、前記衣類処理部で仕上げられた衣類を格納する格納部と、前記衣類処理部で仕上げられた衣類を前記格納部へ搬送する第１の搬送手段と、前記格納部に格納された衣類から着用する衣類を選択する選択手段によって選択された衣類を取り出す取出部と、前記選択手段によって選択された衣類を前記格納部から取出部へ搬送する第２の搬送手段とを備えたものである。
【０００８】
これにより、収納から衣類処理、格納を自動化し、衣類の取り出しも目的に応じて簡単に衣類の選択ができるので、衣類を効率良く取り出すことができて使い勝手が飛躍的に向上する。また、衣類を最適条件で処理、保管できるので衣類を傷めず、臭いの付着もない。
【０００９】
【発明の実施の形態】
本発明の請求項１に記載の発明は、格納部本体と、前記格納部本体に衣類を入れる収納部と、前記収納部に入れられた衣類の情報を情報処理部に入力する設定手段と、前記設定手段の出力に基づいて前記衣類の仕上げを行う衣類処理部と、前記衣類処理部で仕上げられた衣類を格納する格納部と、前記衣類処理部で仕上げられた衣類を前記格納部へ搬送する第１の搬送手段と、前記格納部に格納された衣類から着用する衣類を選択する選択手段と、前記選択手段によって選択された衣類を取り出す取出部と、前記選択手段によって選択された衣類を前記格納部から取出部へ搬送する第２の搬送手段とを備えたものであり、衣類を収納から脱臭、シワ除去、乾燥等の衣類処理、及び最適空気条件で格納、保管を完全自動とし、衣類の取り出しも目的に応じて衣類を簡単に選択できるので、衣類を効率良く取り出せるので使い勝手が飛躍的に向上する。また、衣類を最適条件で処理、保管できるので衣類を傷めず、臭いの付着もない。
【００１０】
請求項２に記載の発明は、設定手段は、フォーマル、カジュアル等の用途、スーツ、ブラウス等の種類、毛、絹、化繊等の材質、夏用、冬用等の季節区分、その他、色、柄、形状、サイズ、固有情報等の衣類に関する情報のいずれか１以上を入力するようにしたものであり、衣類処理部で温度、湿度等の処理条件を個別に設定できると共に、着用衣類を個別に取り出すための情報源となり、着用する衣類を簡単に選択することができる。
【００１１】
請求項３に記載の発明は、衣類は、設定手段に入力する当該衣類に関する情報を有した情報部を有し、当該衣類の情報を前記情報部から設定手段を介して情報処理部に入力するようにしたものであり、衣類が個別の情報を有しているために情報処理部への入力が間違いなく、正確に行われる。このため、衣類処理条件、及び取り出しが正確に行われる。
【００１２】
請求項４に記載の発明は、衣類処理部は、衣類のしわ等を除去する加湿手段と、衣類の水分を除去する除湿手段と、前記加湿手段および除湿手段を制御する制御手段を有し、前記制御手段は、設定手段によって情報処理部に入力された衣類の情報に基づいて温度と湿度を調整するようにしたものであり、衣類を最適処理条件で処理することができ、衣類を傷めず、効率の良い処理ができる。
【００１３】
請求項５に記載の発明は、選択手段は、使用者が希望する衣類の情報を任意に入力する第１の入力手段と、前記第１の入力手段により選択された衣類の情報を表示する表示手段と、前記表示手段によって表示された衣類を確認する確認手段を有し、前記確認手段によって確認された衣類を第２の搬送手段により格納部から取り出し部へ搬送するようにしたものであり、格納されている衣類の中から、使用者が希望し目的にあった衣類を選び出し、その中から使用者が最終的に衣類を決定できる。また、自動的に選択した衣類が取り出せるので効率良く、使い勝手が飛躍的に向上する。
【００１４】
請求項６に記載の発明は、選択手段は、外部情報を入力する第２の入力手段を有し、第１の入力手段により、前記第２の入力手段の情報に基づいて使用者に衣類を提案するようにしたものであり、その日の天候、気温等を考慮した衣類を選び出すことができ、より最適な着用衣類を選択することができる。
【００１５】
【実施例】
以下、本発明の実施例について、図面を参照しながら説明する。
【００１６】
（実施例１）
図１は本発明の実施例１における衣類格納装置の斜視図、図２は同衣類格納装置の要部平面断面図、図３は同衣類格納装置の要部正面断面図、図４は同衣類格納装置の構成を示すブロック図である。
【００１７】
図１から図４において、１は格納部本体で、この格納部本体１には、格納部本体１に衣類を入れる収納部２と、衣類の仕上げを行う衣類処理部３と、前記衣類処理部３で仕上げられた衣類を格納する格納部４を構成している。５はハンガーコンベアーで、収納部２の上方に設けられ、衣類６を吊り下げるハンガー７を搬送するものである。８は収納部２に衣類６を入れるためのドアーで、衣類６をハンガー７に吊り下げてハンガーコンベアー５で衣類処理部３の方向へ搬送するものである。
【００１８】
衣類処理部３には、衣類処理装置９を装備しており、衣類６の脱臭、及びシワを除去する加湿手段９ａと、衣類の水分を除去する除湿手段９ｂと、前記加湿手段９ａおよび除湿手段９ｂを制御する制御手段９ｃを有している。前記加湿手段９ａは加熱式、超音波式等で加湿する。また、前記除湿手段９ｂは温風を加熱するための温風加熱式、収納部２を低湿にして乾燥するためのヒートポンプ式、或いは、吸湿材による除湿式等で構成される。
【００１９】
衣類処理部３は、ハンガーコンベアー５で搬送される衣類６を収納させるため、入り口、及び出口にはドアー（図示せず）を装備している。従って、衣類処理部３に衣類６が搬送され、収納されている状態においては、ドアーが閉じられて略密閉空間状態となる。更に、衣類６が衣類処理装置９で処理されると、衣類処理部３の上流、下流方向のドアーを開状態とすると共に、ハンガーコンベアー５を動作させて格納部４に衣類６を移動させる。
【００２０】
１０は前記収納部２と、格納部４を仕切るための固定した間仕切り板、１１は可動する間仕切りドアーである。１２は衣類処理部３で仕上げられた衣類６を格納部４へ搬送する第１の搬送手段である。第１の搬送手段１２は格納部４の上方に装備され、収納部２へ移動しハンガーコンベアー５で搬送されたハンガー７を格納部４に搬送するように構成されている。
【００２１】
１３はハンガーコンベアで、格納部４の上方に設けられ、衣類６を吊り下げるハンガー７を搬送するものである。従って、前記第１の搬送手段１２により収納部２から格納部４に搬送された衣類６を順次吊り下げて保管する。１４は格納部４の温度、湿度の空気条件を制御する温湿度制御装置で、格納された衣類６を最適条件で保管することができる。温湿度制御装置１４は、加熱手段（図示せず）、除湿手段（図示せず）等で構成される。
【００２２】
１５は衣類６を格納部４から取出部１６へ搬送する第２の搬送手段である。第２の搬送手段１５は、格納部４の上方に装備され取出部１６方向に移動するようになっている。また、格納部４のハンガーコンベア１３を回動させ、選択された衣類６を移動させて第２の搬送手段１５に移し替えて取出部１６に搬送するものである。
【００２３】
２０は設定手段で、衣類６の種類を予め設定するものであり、フォーマル、カジュアル等の用途、スーツ、ブラウス等の種類、毛、絹、化繊等の材質、夏用、冬用等の季節区分、その他、色、柄、形状、サイズ、固有情報等の衣類に関する情報のいずれか１以上を入力するようにしたものであり、使用者が衣類６を収納部２に入れる際に入力することができる。
【００２４】
２１は情報部で前記衣類６に関する情報を衣類６が有し、当該衣類６の情報を前記情報部２１から設定手段２０を介して情報処理部２２に入力するようにしている。従って、ハンガー７に吊り下げられた衣類６の種類は情報処理部２２により記憶されている。前記衣類の情報設定は、情報部２１を有しないで設定手段２０だけでも可能である。
【００２５】
２３は選択手段で、使用者が着用を希望する衣類６の情報を任意に入力する第１の入力手段２４と、前記第１の入力手段２４により選択された衣類６の情報を表示する表示手段２５と、前記表示手段２５によって表示された衣類６を確認する確認手段２６を有している。前記第１の入力手段２４は、同窓会、結婚式、葬儀、旅行、スポーツ等のイベントの内容を入力すると、表示手段２５に保管されている衣類６の中から該当する衣類６が表示され、その中から使用者の希望する衣類６を確認決定するものである。
【００２６】
２７は第２の入力手段で、着用する衣類６を選択する場合に、当日の天候、気温、湿度等の情報を使用者が入力、もしくは、他の情報手段から連動して取り込むものである。この情報は第１の入力手段２４と、前記第２の入力手段２７の情報に基づいて、選択手段２３を経由して情報処理部２２で処理され、第２の搬送手段１５で取出部１６へと搬送し、使用者に衣類６を提案するようにしたものである。
【００２７】
以上のように構成された衣類格納装置について、以下にその動作、作用を説明する。まず、衣類６を処理、保管する場合は、ドアー８を開けて衣類６をハンガー７に吊り下げる。この時、設定手段２０により衣類６の種類を予め設定するもので、フォーマル、カジュアル等の用途、スーツ、ブラウス等の種類、毛、絹、化繊等の材質、夏用、冬用等の季節区分、その他、色、柄、形状、サイズ、固有情報等の衣類６に関する情報のいずれか１以上を使用者が入力する。
【００２８】
その後、前記衣類６はハンガーコンベア５で搬送されて衣類処理部３に収納され、衣類６に適した最適な温度、湿度条件で処理される。情報処理部２２の情報をもとに制御手段９ｃが所定時間加湿手段９ａを動作させて、しわ、臭いを除去する。その後、除湿手段９ｂを動作させて衣類６を乾燥させる。衣類６の処理が完了すると、ハンガーコンベア５を動作させ第１の搬送手段１２に対向する位置に移動させて停止する。
【００２９】
次に、間仕切りドアー１１を開状態にして、第１の搬送手段１２を収納部２側に移動させてハンガー７を第１の搬送手段１２に移し替える。第１の搬送手段１２を格納部４側に移動させて、ハンガー７をハンガーコンベアー１３に移し替える。ハンガーコンベアー１３は、適当な位置までハンガー７を移動させて停止する。
【００３０】
格納部４は、温湿度制御装置１４で温度、湿度の空気条件を制御することで格納された衣類６を最適条件で保管することができる。処理する衣類６が複数枚の場合は、ハンガー７に順次吊り下げるとともに、設定手段２０で衣類６の個別情報は前記した要領で入力しておくだけで、後は自動的に衣類処理部３、第１の搬送手段１２、格納部４へ搬送される。
【００３１】
次に、衣類６を着用時に選択する場合について説明する。まず、取り出し部１６を開状態にし、外出目的である同窓会、結婚式、葬儀、旅行、スポーツ等のイベントの内容を第１の入力手段２４に入力すると、格納部４に保管されている衣類６の中から該当する衣類６が表示手段２５に表示される。その中から使用者の希望する衣類６を確認手段２６で確認し決定する。決定した情報は、選択手段２３を経由して情報処理部２２で処理され、当該の衣類６をハンガーコンベア１３で第２の搬送手段１５の位置まで搬送させ、第２の搬送手段１５に移し替える。その後、第２の搬送手段１５は取出部１６へと移動し、使用者が当該衣類６を取り出す。
【００３２】
以上のように、本実施例によれば、格納部本体１と、前記格納部本体１に衣類を入れる収納部２と、前記収納部２に入れられた衣類６の情報を情報処理部２２に入力する設定手段２０と、前記設定手段２０の出力に基づいて前記衣類６の仕上げを行う衣類処理部３と、前記衣類処理部３で仕上げられた衣類６を格納する格納部４と、前記衣類処理部３で仕上げられた衣類６を前記格納部４へ搬送する第１の搬送手段１２と、前記格納部４に格納された衣類６から着用する衣類６を選択する選択手段２３と、前記選択手段２３によって選択された衣類６を取り出す取出部１６と、前記選択手段２３によって選択された衣類６を前記格納部４から取出部１６へ搬送する第２の搬送手段１５とを設けたことにより、衣類６を収納から脱臭、シワの除去、乾燥等の衣類処理、及び最適空気条件で格納、保管を完全自動とし、衣類６の取り出しも目的に応じて衣類６を簡単に選択できるので、衣類６を効率良く取り出せるので使い勝手が飛躍的に向上する。また、衣類６を最適条件で処理、保管できるので衣類を傷めず、臭いの付着もない。
【００３３】
また、設定手段２０は、フォーマル、カジュアル等の用途、スーツ、ブラウス等の種類、毛、絹、化繊等の材質、夏用、冬用等の季節区分、その他、色、柄、形状、サイズ、固有情報等の衣類６に関する情報のいずれか１以上を入力するようにしたことにより、衣類処理部３で温度、湿度等の処理条件を個別に設定できると共に、着用する衣類６を個別に取り出すための情報源となり、着用する衣類６を簡単に選択することができる。
【００３４】
また、衣類６は、設定手段２０に入力する当該衣類６に関する情報を有した情報部２１を有し、当該衣類６の情報を前記情報部２１から設定手段２０を介して情報処理部２２に入力するようにしたことにより、衣類６が個別の情報を有しているために情報処理部２２への入力が間違いなく、正確に行われる。このため、衣類処理条件、及び取り出しが正確に行われる。
【００３５】
また、衣類処理部３は、衣類６のしわ等を除去する加湿手段９ａと、衣類６の水分を除去する除湿手段９ｂと、前記加湿手段９ａおよび除湿手段９ｂを制御する制御手段９ｃを有し、前記制御手段９ｃは、設定手段２０によって情報処理部２２に入力された衣類６の情報に基づいて温度と湿度を調整するようにしたことにより、衣類６を最適処理条件で処理することができ、衣類６を傷めず、効率の良い処理ができる。
【００３６】
また、選択手段２３は、使用者が希望する衣類６の情報を任意に入力する第１の入力手段２４と、前記第１の入力手段２４により選択された衣類６の情報を表示する表示手段２５と、前記表示手段２５によって表示された衣類６を確認する確認手段２６を有し、前記確認手段２６によって確認された衣類６を第２の搬送手段１５により格納部４から取り出し部へ搬送するようにしたことにより、格納されている衣類６の中から、使用者が希望し目的にあった衣類６を選び出し、その中から使用者が最終的に衣類６を決定できる。また、自動的に選択した衣類６が取り出せるので効率良く、使い勝手が飛躍的に向上する。
【００３７】
また、選択手段２３は、外部情報を入力する第２の入力手段２７を有し、第１の入力手段２４により、前記第２の入力手段２７の情報に基づいて使用者に衣類６を提案するようにしたことにより、その日の天候、気温等を考慮した衣類６を選び出すことができ、より最適な着用衣類を選択することができる。
【００３８】
なお、本実施例では、衣類６固有情報を設定手段２０で使用者が入力するものであるが、衣類６が当該衣類に関する情報を有している場合は、衣類６の情報を設定手段２０を介して情報処理部２２に入力できるので使用者の入力は簡単で間違いが無い。
【００３９】
また、本実施例では、衣類処理装置９は衣類処理部３の内部に装備しているが、格納部本体１外に装備し処理空気を衣類処理部３内に導入することで衣類処理部３の空間を広くすることも可能である。
【００４０】
また、本実施例では、衣類処理部３で一枚の衣類６を処理したものであるが、同一処理条件の衣類６であれば、複数枚を一度に衣類処理部３に収納して一度に処理することもできる。
【００４１】
【発明の効果】
以上のように本発明によれば、格納部本体と、前記格納部本体に衣類を入れる収納部と、前記収納部に入れられた衣類の情報を情報処理部に入力する設定手段と、前記設定手段の出力に基づいて前記衣類の仕上げを行う衣類処理部と、前記衣類処理部で仕上げられた衣類を格納する格納部と、前記衣類処理部で仕上げられた衣類を前記格納部へ搬送する第１の搬送手段と、前記格納部に格納された衣類から着用する衣類を選択する選択手段と、前記選択手段によって選択された衣類を取り出す取出部と、前記選択手段によって選択された衣類を前記格納部から取出部へ搬送する第２の搬送手段とを設けたから、衣類を収納から脱臭、シワの除去、乾燥等の衣類処理、及び最適空気条件で格納、保管を自動化することができる。更に、衣類の取り出しも目的に応じて衣類を簡単に選択できるので、衣類を効率良く取り出せるので使い勝手が飛躍的に向上する。
【図面の簡単な説明】
【図１】本発明の実施例１における衣類格納装置の外観斜視図
【図２】同衣類格納装置の要部平面断面図
【図３】同衣類格納装置の要部正面断面図
【図４】同衣類格納装置の構成を示すブロック図
【符号の説明】
１　格納部本体
２　収納部
３　衣類処理部
４　格納部
６　衣類
１２　第１の搬送手段
１５　第２の搬送手段
１６　取出部
２０　設定手段
２１　情報部
２２　情報処理部
２３　選択手段
２４　第１の入力手段
２５　表示手段
２６　確認手段
２７　第２の入力手段
【図１】
2004057649.tif 000003
【図２】
2004057649.tif 000004
【図３】
2004057649.tif 000005
【図４】
2004057649.tif 000006